【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
画像シーケンスのピクチャを符号化する符号化方法であって、
上記ピクチャを複数のマクロブロックに分割するステップと、
複数の処理ブロックを生成するステップと、
上記処理ブロックのうちの少なくとも一つを、フレーム符号化モードで一度に選択的に符号化し、及び、上記処理ブロックのうちの少なくとも一つを、フィールド符号化モードで一度に選択的に符号化するステップとを有し、
上記各マクロブロックは、複数のブロックを有し、
上記各処理ブロックは、隣り合う複数のマクロブロック対を含む複数のマクロブロックを処理ブロックとして集めることによって生成され、
上記選択的に符号化するステップは、上記処理ブロックの少なくとも一つについてフレーム符号化モードまたはフィールド符号化モードを示すフラグの挿入を含み、
上記処理ブロックの少なくとも一つに含まれる上記複数のマクロブロックのうちの少なくとも一つのトップフィールドの画素及びボトムフィールドの画素はフレーム符号化モードでは一緒に処理され、上記処理ブロックの少なくとも一つに含まれる上記複数のマクロブロックのうちの少なくとも一つのトップフィールドの画素及びボトムフィールドの画素はフィールド符号化モードでは別々に処理され、
上記符号化は、水平スキャンパス又は垂直スキャンパスで実行され、
上記処理ブロックの少なくとも一つに含まれる上記複数のマクロブロックのうちの少なくとも一つは、フレーム符号化モードまたはフィールド符号化モードの場合に、処理可能な同一のサイズを含むより小さいサイズのブロックに分割され、該より小さいサイズのブロックは動き補償による時間的予測に用いられ、
上記より小さいサイズのブロックのそれぞれは、フィールド符号化モードの場合またはフレーム符号化モードの場合、１６×１６画素、１６×８画素、８×１６画素、８×８画素、８×４画素、４×８画素、４×４画素の何れかのブロックサイズを含む、
ことを特徴とする符号化方法。
【請求項２】
画像シーケンスのピクチャを符号化する符号化装置であって、
上記ピクチャを複数のマクロブロックに分割する手段と、
複数の処理ブロックを生成する手段と、
上記処理ブロックのうちの少なくとも一つを、フレーム符号化モードで一度に選択的に符号化し、及び、上記処理ブロックのうちの少なくとも一つを、フィールド符号化モードで一度に選択的に符号化する手段とを備え、
上記各マクロブロックは、複数のブロックを有し、
上記各処理ブロックは、隣り合う複数のマクロブロック対を含む複数のマクロブロックを処理ブロックとして集めることによって生成され、
上記選択的に符号化するステップは、上記処理ブロックの少なくとも一つについてフレーム符号化モードまたはフィールド符号化モードを示すフラグの挿入を含み、
上記処理ブロックの少なくとも一つに含まれる上記複数のマクロブロックのうちの少なくとも一つのトップフィールドの画素及びボトムフィールドの画素はフレーム符号化モードでは一緒に処理され、上記処理ブロックの少なくとも一つに含まれる上記複数のマクロブロックのうちの少なくとも一つのトップフィールドの画素及びボトムフィールドの画素はフィールド符号化モードでは別々に処理され、
上記符号化は、水平スキャンパス又は垂直スキャンパスで実行され、
上記処理ブロックの少なくとも一つに含まれる上記複数のマクロブロックのうちの少なくとも一つは、フレーム符号化モードまたはフィールド符号化モードの場合に、処理可能な同一のサイズを含むより小さいサイズのブロックに分割され、該より小さいサイズのブロックは動き補償による時間的予測に用いられ、
上記より小さいサイズのブロックのそれぞれは、フィールド符号化モードの場合またはフレーム符号化モードの場合、１６×１６画素、１６×８画素、８×１６画素、８×８画素、８×４画素、４×８画素、４×４画素の何れかのブロックサイズを含む、
ことを特徴とする符号化装置。
【請求項３】
プロセッサで実行されたときに、該プロセッサに、画像シーケンスのピクチャを符号化する符号化方法を実行させるコンピュータで実行可能な命令を記録したコンピュータで読取可能な媒体であって、
上記符号化方法は、
上記ピクチャを複数のマクロブロックに分割するステップと、
複数の処理ブロックを生成するステップと、
上記処理ブロックのうちの少なくとも一つを、フレーム符号化モードで一度に選択的に符号化し、及び、上記処理ブロックのうちの少なくとも一つを、フィールド符号化モードで一度に選択的に符号化するステップとを有し、
上記各マクロブロックは、複数のブロックを有し、
上記各処理ブロックは、隣り合う複数のマクロブロック対を含む複数のマクロブロックを処理ブロックとして集めることによって生成され、
上記選択的に符号化するステップは、上記処理ブロックの少なくとも一つについてフレーム符号化モードまたはフィールド符号化モードを示すフラグの挿入を含み、
上記処理ブロックの少なくとも一つに含まれる上記複数のマクロブロックのうちの少なくとも一つのトップフィールドの画素及びボトムフィールドの画素はフレーム符号化モードでは一緒に処理され、上記処理ブロックの少なくとも一つに含まれる上記複数のマクロブロックのうちの少なくとも一つのトップフィールドの画素及びボトムフィールドの画素はフィールド符号化モードでは別々に処理され、
上記符号化は、水平スキャンパス又は垂直スキャンパスで実行され、
上記処理ブロックの少なくとも一つに含まれる上記複数のマクロブロックのうちの少なくとも一つは、フレーム符号化モードまたはフィールド符号化モードの場合に、処理可能な同一のサイズを含むより小さいサイズのブロックに分割され、該より小さいサイズのブロックは動き補償による時間的予測に用いられ、
上記より小さいサイズのブロックのそれぞれは、フィールド符号化モードの場合またはフレーム符号化モードの場合、１６×１６画素、１６×８画素、８×１６画素、８×８画素、８×４画素、４×８画素、４×４画素の何れかのブロックサイズを含む、
ことを特徴とする媒体。
【請求項４】
ビットストリームから複数の処理ブロックを備える符号化ピクチャであって、各処理ブロックがマクロブロックを有し、各マクロブロックが複数のブロックを有する、符号化ピクチャを復号する復号方法であって、
上記複数の処理ブロックのうちの少なくとも一つを、フレーム符号化モードで一度に復号し、及び、上記複数の処理ブロックのうちの少なくとも一つを、フィールド符号化モードで一度に復号するステップと、
上記復号された複数の処理ブロックを用いて、復号ピクチャを構成するステップとを有し、
上記複数の処理ブロックのそれぞれは、隣り合う複数のマクロブロック対を含み、
上記復号が上記マクロブロック対に適用され、
上記複数の処理ブロックのそれぞれは、フレーム符号化モードまたはフィールド符号化モードを示すフラグを含み、
フレーム符号化モードで復号された少なくとも一つの上記マクロブロック対は、それぞれトップフィールドの画素とボトムフィールドの画素の両方を含むフレームマクロブロックを含み、
フィールド符号化モードで復号された少なくとも一つのマクロブロック対は、それぞれトップフィールドの画素またはボトムフィールドの画素の何れかを含むフィールドマクロブロックを含み、
上記復号は、水平スキャンパス又は垂直スキャンパスで実行され、
上記フレームマクロブロック及びフィールドマクロブロックの少なくとも一つは、フレーム符号化モードまたはフィールド符号化モードの場合に、処理可能な同一のサイズを含むより小さいサイズのブロックに分割され、該より小さいサイズのブロックは動き補償による時間的予測に用いられ、
上記より小さいサイズのブロックのそれぞれは、フィールド符号化モードの場合またはフレーム符号化モードの場合、１６×１６画素、１６×８画素、８×１６画素、８×８画素、８×４画素、４×８画素、４×４画素の何れかのブロックサイズを含む、
ことを特徴とする復号方法。
【請求項５】
ビットストリームからの符号化ピクチャを復号する復号装置であって、
複数の処理ブロックのうちの少なくとも一つを、フレーム符号化モードで符号化された符号化ピクチャから一度に復号し、及び、上記複数の処理ブロックのうちの少なくとも一つを、フィールド符号化モードで符号化された符号化ピクチャから一度に復号する手段と、
上記復号された複数の処理ブロックを用いて、復号ピクチャを構成する手段とを備え、
上記複数の処理ブロックのそれぞれは、隣り合う複数のマクロブロック対を含み、
上記復号が上記マクロブロック対に適用され、
上記複数の処理ブロックのそれぞれは、フレーム符号化モードまたはフィールド符号化モードを示すフラグを含み、
フレーム符号化モードで復号された少なくとも一つの上記マクロブロック対は、それぞれトップフィールドの画素とボトムフィールドの画素の両方を含むフレームマクロブロックを含み、
フィールド符号化モードで復号された少なくとも一つのマクロブロック対は、それぞれトップフィールドの画素またはボトムフィールドの画素の何れかを含むフィールドマクロブロックを含み、
上記復号は、水平スキャンパス又は垂直スキャンパスで実行され、
上記フレームマクロブロック及びフィールドマクロブロックの少なくとも一つは、フレーム符号化モードまたはフィールド符号化モードの場合に、処理可能な同一のサイズを含むより小さいサイズのブロックに分割され、該より小さいサイズのブロックは動き補償による時間的予測に用いられ、
上記より小さいサイズのブロックのそれぞれは、フィールド符号化モードの場合またはフレーム符号化モードの場合、１６×１６画素、１６×８画素、８×１６画素、８×８画素、８×４画素、４×８画素、４×４画素の何れかのブロックサイズを含む、
ことを特徴とする復号装置。
【請求項６】
プロセッサで実行されたときに、該プロセッサに、画像シーケンスのピクチャを復号する復号方法を実行させるコンピュータで実行可能な命令を記録したコンピュータで読取可能な媒体であって、
上記復号方法は、
複数の処理ブロックのうちの少なくとも一つを、フレーム符号化モードで符号化された符号化ピクチャから一度に復号し、及び、上記複数の処理ブロックのうちの少なくとも一つを、フィールド符号化モードで符号化された符号化ピクチャから一度に復号するステップと、
上記復号された複数の処理ブロックを用いて、復号ピクチャを構成するステップとを有し、
上記複数の処理ブロックのそれぞれは、隣り合う複数のマクロブロック対を含み、
上記復号が上記マクロブロック対に適用され、
上記複数の処理ブロックのそれぞれは、フレーム符号化モードまたはフィールド符号化モードを示すフラグを含み、
フレーム符号化モードで復号された少なくとも一つの上記マクロブロック対は、それぞれトップフィールドの画素とボトムフィールドの画素の両方を含むフレームマクロブロックを含み、
フィールド符号化モードで復号された少なくとも一つのマクロブロック対は、それぞれトップフィールドの画素またはボトムフィールドの画素の何れかを含むフィールドマクロブロックを含み、
上記復号は、水平スキャンパス又は垂直スキャンパスで実行され、
上記フレームマクロブロック及びフィールドマクロブロックの少なくとも一つは、フレーム符号化モードまたはフィールド符号化モードの場合に、処理可能な同一のサイズを含むより小さいサイズのブロックに分割され、該より小さいサイズのブロックは動き補償による時間的予測に用いられ、
上記より小さいサイズのブロックのそれぞれは、フィールド符号化モードの場合またはフレーム符号化モードの場合、１６×１６画素、１６×８画素、８×１６画素、８×８画素、８×４画素、４×８画素、４×４画素の何れかのブロックサイズを含む、
ことを特徴とする媒体。
【請求項７】
画像シーケンスのピクチャを符号化する符号化方法において、
上記ピクチャを複数の小さい部分に分割するステップと、
上記複数の小さい部分の少なくとも１つを選択的にフレーム符号化モードで一度に符号化し、及び該複数の小さい部分の少なくとも１つを選択的にフィールド符号化モードで一度に符号化するステップと、
上記複数の小さい部分の少なくとも１つを選択的にイントラ符号化モードで一度に符号化し、及び該複数の小さい部分の少なくとも１つを選択的にインター符号化モードで一度に符号化するステップとを有し、
上記複数の小さい部分のそれぞれは、１つのマクロブロックよりも大きなサイズを有することを特徴とする符号化方法。
【請求項８】
画像シーケンスのピクチャを符号化する符号化方法において、
上記ピクチャを複数の小さい部分に分割するステップと、
上記複数の小さい部分の少なくとも一つをフレーム符号化モードに一度に選択し、及び上記複数の小さい部分の少なくとも一つをフィールド符号化モードに一度に選択するステップと、
上記ピクチャが両方向予測符号化ピクチャである場合、少なくとも二つの動きベクトルと、上記複数の小さい部分の少なくとも一つの小さい部分の少なくとも一つの現在のブロックの上記二つの動きベクトルに指し示される二つの関連する参照ピクチャまたはフィールドとを導出することを含む、選択された少なくとも一つの小さい部分を符号化するステップとを有し、
上記小さい部分のそれぞれはマクロブロックの１より上の倍数であるサイズを有し、
上記少なくとも一つの小さい部分の上記少なくとも一つの現在のブロックの各現在のブロックは、上記複数の小さい部分の上記少なくとも一つの小さい部分よりも小さいサイズを有することを特徴とする符号化方法。
【請求項９】
画像シーケンスのピクチャを符号化する符号化方法において、
上記ピクチャを複数の小さい部分に分割するステップと、
上記複数の小さい部分の少なくとも１つを選択的にフレーム符号化モードで一度に符号化し、及び該複数の小さい部分の少なくとも１つを選択的にフィールド符号化モードで一度に符号化し、符号化ピクチャを形成するステップと、
上記ピクチャが前方予測符号化ピクチャ又は両方向予測符号化ピクチャである場合に、上記少なくとも一つの小さな部分内の少なくとも一つのマクロブロックの符号化をスキップするステップとを有し、
上記複数の小さい部分のそれぞれは、１つのマクロブロックよりも大きなサイズを有することを特徴とする符号化方法。